(57)【要約】【課題】ケース外に位置するリードレス型ブッシングで、電線接続端子部分に装着した絶縁カバー外に位置する充電露出部分を簡単且つ安価な構造によりその充電部露出を無くすようにする。【解決手段】  開閉器１等のケース３の外部に突出固定し且つ相互に適宜空間ｇを保持して離間する複数のブッシング２の各ブッシングの碍管４の貫通孔４ａには中心導体５を貫通固定し、該導体５のケース外の先端には電線接続端子１０を固定し、該端子１０には上記碍管４の溝部４ｆをその笠状の遮蔽部１７ｂにより遮蔽しさらに取付突起１７ｃには絶縁カバー１９を装着して同端子１０を覆うようにした遮蔽体１７を固定したもので、上記電線接続端子１０が上記中心導体５の端部５ａに対し圧着接続により固定された箇所に上記遮蔽体１７の廻り止め用の六角形の取付孔１７ａを設け、その外側から同端子に取付固定したことを特徴とする開閉器等におけるリードレス型ブッシング。【選択図】        図１
2007059413.tif 000002
【特許請求の範囲】
【請求項１】
開閉器１等のケース３の外部に突出固定し且つ相互に適宜空間ｇを保持して離間する複数のブッシング２であって、その各ブッシングの碍管４の貫通孔４ａには中心導体５を貫通固定し、また該導体５のケース外の先端には電線接続端子１０を固定し、また該端子１０には上記碍管４の溝部４ｆをその笠状の遮蔽部１７ｂにより遮蔽しさらに取付突起１７ｃには絶縁カバー１９を装着して同端子１０を覆うようにした遮蔽体１７を固定したものにおいて、
上記電線接続端子１０は上記中心導体５の端部５ａに対し圧着接続により固定されると共にさらに上記遮蔽体１７には廻り止め用の六角形の取付孔１７ａを設け、前記取付孔１７ａを上記圧着接続した端部５ａに位置させ、その外側から同端子に取付固定したことを特徴とする開閉器等におけるリードレス型ブッシング。
【発明の詳細な説明】
【技術分野】
【０００１】
本発明は高圧配電線路に使用するケース入り開閉器のブッシングの改良に係り、特にリードレス型ブッシングにおいて、ブッシングの碍管の溝部を覆うように電線接続端子に取付けた遮蔽体の取付構造に関する。
【背景技術】
【０００２】
高圧配電線路には線路を区分するためのケース入り開閉器が適宜間隔で電柱に施設されており、同開閉器は該開閉器のケース外に突出固定した３相の電源側及び負荷側の各ブッシングに対しその電線接続端子に、それぞれ絶縁電線からなる配電線が接続されて高圧配電線路を形成している。上記開閉器においては、そのブッシング構造を大別すると、組立時にブッシング部に予めリード線を組み付けて一体化したリード付型と、組立出荷時にはリード線を備えず取付（使用）現場においてブッシングの電線接続端子に対し絶縁電線からなるリード線を接続するようにしたリードレス型とがある。そして、特に後者のリードレス型ブッシングにおいては、開閉器の取付工事の際、電線接続端子に絶縁電線を接続した後、通電状態において充電部となる同端子に絶縁カバーを装着して充電部露出を防止している。
【０００３】
そして、特許文献１記載の考案においては、断面が円形状の中心導体と電線接続端子の接合部より開閉器側に遮蔽体を設け、その遮蔽体の両側には中心導体に設けられたねじ部に結合されたボルトで遮蔽体を挟持するように締め付けることで、遮蔽体を固定する構成が記載されている。
【特許文献１】実公昭５３−４２７６０号公報
【発明の開示】
【発明が解決しようとする課題】
【０００４】
しかしながら、従来型のリードレス型ブッシングにおいては、絶縁カバー外に位置する充電部分例えば中心導体の僅か一部が依然として露出状態にあるものがあった。そのため工事の際に使用するバインド線や鳥が営巣のために運んで来る針金等が隙間を経て入り込み、露出する充電部にうっかり接触して接近する接地側金具や開閉器の隣接相のブッシングとの間で地絡事故や相間短絡事故を招いたりする虞があった。なお、充電部を完全に覆うタイプもあるがこれらの構造は大幅な設計変更を必要としたり、コストアップが避けられないと言う問題があった。さらに又ブッシングの碍管の溝部を覆うようにして電線接続端子に取付けた遮蔽体が不用意に回ったり動いたりして位置が固定できず溝部の前面側を確実に遮蔽できないようになることがあるほか同遮蔽体に支持取付けした絶縁カバーも一緒に回ったり動いたりして隙間があき充電部である電線接続端子の一部が露出したりする問題もあった
また、特許文献１記載の考案においては、遮蔽体を挟持するボルトが緩むことで、遮蔽体及び端子カバーが回転したり、軸方向に移動したりして遮蔽体の取付位置が確定できない問題があった。また、遮蔽体の取付方法においてはボルトの安定した締めトルクが必要となり、締付けトルクを管理する必要があるため、組立工程の管理が煩雑になるという問題もあった。
【課題を解決するための手段】
【０００５】
本願は上記課題を解決するためのもので、開閉器１等のケース３の外部に突出固定し且つ相互に適宜空間ｇを保持して離間する複数のブッシング２であって、その各ブッシングの碍管４の貫通孔４ａには中心導体５を貫通固定し、また該導体５のケース外の先端には電線接続端子１０を固定し、また該端子１０には上記碍管４の溝部４ｆをその笠状の遮蔽部１７ｂにより遮蔽しさらに取付突起１７ｃには絶縁カバー１９を装着して同端子１０を覆うようにした遮蔽体１７を固定したものにおいて、上記電線接続端子１０は上記中心導体５の端部５ａに対し圧着接続により固定されると共にさらに上記遮蔽体１７には廻り止め用の六角形の取付孔１７ａを設け、前記取付孔１７ａを上記圧着接続した端部５ａに位置させ、その外側から同端子に取付固定したことを特徴とする開閉器等におけるリードレス型ブッシングを提案するものである。
【発明の効果】
【０００６】
以上の構成のように、上記電線接続端子１０は中心導体５の端部５ａに対し圧着接続により固定されると共にさらに遮蔽体１７はその廻り止め用の六角形の取付孔１７ａを上記圧着接続した端部５ａに位置させその外側から取付固定したことで、遮蔽体が電線接続端子の所定の位置に確実に取付固定することができ、遮蔽体と、同遮蔽体に支持取付した絶縁カバーとが不用意に回ったり動いたりしないため、同遮蔽体の笠状の遮蔽部による碍管の溝部に対する遮蔽効果が所期の通りに期待できる外、同時に絶縁カバーからの電線接続端子等の充電部の一部露出も防止できる。
【発明を実施するための最良の形態】
【０００７】
以下、本願発明の実施例について図１乃至図５に基づき具体的に説明する。
【実施例１】
【０００８】
２（２、２）はケース入り開閉器１のリードレス型ブッシングであり、ケース３の電源側の側面３ａ及び負荷側の側面（特に図示しない）にはそれぞれＵ相、Ｖ相、Ｗ相の３相のブッシングが隣接相に対し適宜絶縁空間ｇを保持して取り付けられている。
【０００９】
ブッシング２は碍管４の貫通孔４ａにスタッドボルト型の中心導体５を挿通し、ケース外側においては廻止ナット６、スプリングワッシャー７、締付ナット８、平ワッシャー９により締付固定された後、圧着端子形の電線接続端子１０が中心導体の端部５ａに圧着接続されている。
【００１０】
また、ケース内側においては鍔状の押圧部５ｂを碍管４の貫通孔４ａの内端面４ｂにＯリング１１を介して取り付けられている。なお、碍管４の貫通孔４ａを貫通する上記中心導体５は２分割可能な分割タイプであり、貫通孔４ａ内でネジ接続部５ｃにより一体連結される構造である。
【００１１】
１２は中心導体５が碍管４に締付固定された状態で上記、廻止ナット６、スプリングワッシャー７、締付ナット８、平ワッシャー９、電線接続端子１０の外周を覆うようにして被着したゴム或いは樹脂系の収縮チューブであり、チューブ形態のものを被被覆物に被せ、ドライヤー等で加熱収縮させ被着する熱収縮型のものを使用しているが、この際、同チューブにはさらにその内面１２ａに接着剤１３が塗布されていて被着時、一段と被被覆物に対する密着性が高められるようになっている。
【００１２】
１４はシール用のシリコンゴムあるは樹脂系の充填材、１５は碍管４の鍔状の取付用フランジ４ｃに嵌装された押え金具であり、ブッシング２をケース３の側面３ａに貫装取付するものである。１６はフランジの押圧部４ｄとケース３の外面３ａ間に介在するＯリングを示す。
【００１３】
また、１７はＥＰＲ（耐トラッキング性のブチルゴム）等のゴムからなる杯形に成形した遮蔽体であり、中心には廻り止めを考慮した六角形の取付孔１７ａを形成し、また前面側には碍管４の溝部４ｆを遮蔽するための笠状の遮蔽部１７ｂを形成し、また、後面側には絶縁カバー取付用の環状の取付突起１７ｃを形成し、さらに上部側には周面１７ｄから中心の取付孔１７ａに至る取付用の割部１７ｅが形成されており、同遮蔽体１７は、割部１７ｅより左右両側に開いた状態でその取付孔１７ａを、図１に示すように中心導体の端部５ａに位置するようにして同導体に圧着接続する電線接続端子１０の外側から挿着し、接着後、ネジ１８により電線接続端子に止着して取付ける。
【００１４】
また、１９は遮蔽体１７の取付突起１７ｃに取付したＥＰＲ（耐トラッキング性のブチルゴム）等のゴムからなる絶縁カバーであり、充電部となる電線接続端子１０の外周面を覆って充電部が露出しないようにしている。
【００１５】
２０は電線接続端子１０にネジ２１により締付接続された絶縁電線を示す。なお、ブッシング部位における充電部は、絶縁カバー１９の遮蔽体１７への装着で、同カバーと、上記廻止ナット６、スプリングワッシャー７、締付ナット８、電線接続端子１０の一部の外周に被着した収縮チューブ１２とにより充電部露出が皆無となる。
【００１６】
なお、この種のリードレス型ブッシングは開閉器に限定されること無く変圧器等のケース入り電気機器等にも使用可能である。
【００１７】
また、上記被着する収縮チューブの内面にはさらに接着剤を塗布して収縮被着に際して被被覆物（対象物）に対する密着性を高めたため、被着後に不用意にいざったりせず、簡単且つ確実に絶縁被覆作業が行なえる。
【図面の簡単な説明】
【００１８】
【図１】本願発明の実施例であるリードレス型ブッシングの要部断面図。
【図２】ブッシングの全体を示す断面図。
【図３】本願発明のリードレス型ブッシングを取付けた絶縁カバーの取外状態のケース入り開閉器の側面図。
【図４】遮蔽体の正面図（ａ）、左側面図（ｂ）、背面図（ｃ）、Ａ−Ａ断面図（ｄ）、Ｂ−Ｂ断面図（ｅ）を示す。
【図５】絶縁性収縮チューブの正面図。
【符号の説明】
【００１９】
１      開閉器
２      ブッシング
３      ケース
３ａ    側面
４      碍管
４ａ    貫通孔
５      中心導体
５ａ    端部
１０    電線接続端子
１２    絶縁性収縮チューブ
１２ａ  内面
１７    遮蔽体
１７ａ  六角形の取付孔
１７ｂ  遮蔽部
１７ｃ  取付突起
１９    絶縁カバー
ｇ      絶縁空間
【図１】
2007059413.tif 000003
【図２】
2007059413.tif 000004
【図３】
2007059413.tif 000005
【図４】
2007059413.tif 000006
【図５】
2007059413.tif 000007